(57)【要約】【課題】ドキュメントの品質を良くすることを目的とする。【解決手段】ドキュメントを生成するのに用いられる情報処理装置が、前記ドキュメントに記載される画像を識別する識別番号を前記画像に埋め込んで前記ドキュメントを示すドキュメントデータを生成し、前記識別番号と対応させて前記画像を管理するのに用いられる管理データと、前記ドキュメントデータから検出される前記識別番号を示す検出データとを比較して前記画像をチェックすることで上記課題を解決する。【選択図】図１
2017168894.tif 000002
【特許請求の範囲】
【請求項１】
ドキュメントを生成するのに用いられる情報処理装置であって、
前記ドキュメントに記載される画像を識別する識別番号を前記画像に埋め込んで前記ドキュメントを示すドキュメントデータを生成する生成部と、
前記識別番号と対応させて前記画像を管理するのに用いられる管理データと、前記ドキュメントデータから検出される前記識別番号を示す検出データとを比較して前記画像をチェックするチェック部と
を備える情報処理装置。
【請求項２】
前記管理データは、使用が禁止された画像を示す廃番を示し、
前記チェック部は、前記検出データが示す前記識別番号に、前記廃番があるか否かをチェックする請求項１に記載の情報処理装置。
【請求項３】
前記管理データは、前記画像が前記ドキュメントに記載される順序、位置、座標、前記画像が入力されるセル、前記画像に対応する被写体又はこれらの組み合わせを示すデータである請求項１又は２に記載の情報処理装置。
【請求項４】
前記チェック部は、前記画像が、前記管理データが示す順序と一致するか否か、前記管理データが示す位置、座標若しくはセルに配置されるか否か、又は前記管理データが示す被写体に対応して配置されるか否かのうち、少なくともいずれか１つをチェックする請求項３に記載の情報処理装置。
【請求項５】
前記生成部は、前記識別番号を埋め込む強度を調整する請求項１乃至４のいずれか一項に記載の情報処理装置。
【請求項６】
前記チェックに基づいて、廃番となっている画像がある又は前記管理データが示す順序、位置、座標、セル若しくは被写体と異なる画像があると、対象となる画像を強調して表示する請求項１乃至５のいずれか一項に記載の情報処理装置。
【請求項７】
前記画像の一部を示す画像又は前記画像を加工して生成される加工画像には、前記画像に埋め込まれる前記識別番号が埋め込まれる請求項１乃至６のいずれか一項に記載の情報処理装置。
【請求項８】
前記加工画像は、前記画像の一部を切り出した画像、前記画像の一部を変更した画像、前記画像をコピーした画像、前記画像のサイズを変更した画像、前記画像の形状を変更した画像、前記画像の解像度を変更又は前記画像を他の画像と組み合わせた画像である請求項７に記載の情報処理装置。
【請求項９】
前記識別番号は、数値、文字、記号又はこれらの組み合わせである請求項１乃至８のいずれか一項に記載の情報処理装置。
【請求項１０】
ドキュメントを生成するのに用いられる情報処理装置が行う情報処理方法であって、
前記情報処理装置が、前記ドキュメントに記載される画像を識別する識別番号を前記画像に埋め込んで前記ドキュメントを示すドキュメントデータを生成する生成手順と、
前記情報処理装置が、前記識別番号と対応させて前記画像を管理するのに用いられる管理データと、前記ドキュメントデータから検出される前記識別番号を示す検出データとを比較して前記画像をチェックするチェック手順と
を含む情報処理方法。
【請求項１１】
ドキュメントを生成するのに用いられるコンピュータに情報処理方法を実行させるためのプログラムであって、
前記コンピュータが、前記ドキュメントに記載される画像を識別する識別番号を前記画像に埋め込んで前記ドキュメントを示すドキュメントデータを生成する生成手順と、
前記コンピュータが、前記識別番号と対応させて前記画像を管理するのに用いられる管理データと、前記ドキュメントデータから検出される前記識別番号を示す検出データとを比較して前記画像をチェックするチェック手順と
を実行させるためのプログラム。
【発明の詳細な説明】
【技術分野】
【０００１】
本発明は、情報処理装置、情報処理方法及びプログラムに関する。
【背景技術】
【０００２】
従来、識別情報等を用いてコンテンツ等を管理する方法が知られている。
【０００３】
例えば、まず、コンテンツ共有システムが、表示媒体上に印刷されたコンテンツに対して、識別情報を対応させる。なお、表示媒体には、ＲＦ−ＩＤタグが付けられる。そして、識別情報に対応するコンテンツ情報と、このコンテンツ情報に関連する関連情報をネットワークによって接続されるデータ管理装置が管理する。さらに、ネットワークによって接続される表示媒体廃棄装置が、表示媒体を廃棄し、コンテンツ情報を書き変えてコンテンツ情報等を管理する。このようにして、コンテンツを共有化させる方法が知られている（例えば、特許文献１等）。
【発明の概要】
【発明が解決しようとする課題】
【０００４】
しかしながら、従来の方法では、カタログ等のドキュメントにおいて、ドキュメントに記載される画像がチェックできない場合がある。そのため、生成されるドキュメントの品質が悪いことが課題となる。
【０００５】
本発明の１つの側面は、上述した課題を解決するものであり、ドキュメントの品質を良くできる情報処理装置を提供することを目的とする。
【課題を解決するための手段】
【０００６】
一態様における、ドキュメントを生成するのに用いられる情報処理装置は、前記ドキュメントに記載される画像を識別する識別番号を前記画像に埋め込んで前記ドキュメントを示すドキュメントデータを生成する生成部と、前記識別番号と対応させて前記画像を管理するのに用いられる管理データと、前記ドキュメントデータから検出される前記識別番号を示す検出データとを比較して前記画像をチェックするチェック部とを備える。
【発明の効果】
【０００７】
ドキュメントの品質を良くできる情報処理装置を提供できる。
【図面の簡単な説明】
【０００８】
【図１】本発明の一実施形態に係る情報処理装置の使用例を示す概念図である。
【図２】本発明の一実施形態に係る情報処理装置のハードウェア構成の一例を示すブロック図である。
【図３】本発明の一実施形態に係る情報処理装置による入力処理の一例を示すフローチャートである。
【図４】本発明の一実施形態に係る情報処理装置による識別番号の埋め込みの一例を示す図である。
【図５】本発明の一実施形態に係る情報処理装置によるチェック処理の一例を示すフローチャートである。
【図６】本発明の一実施形態に係る情報処理装置によるチェックの一例を示す図である。
【図７】本発明の一実施形態に係る情報処理装置による不一致箇所の表示例を示す図である。
【図８】本発明の一実施形態に係る情報処理装置の機能構成の一例を示す機能ブロック図である。
【発明を実施するための形態】
【０００９】
＜全体構成例＞
以下、図面を用いて、本発明に係る一実施形態を説明する。例えば、本発明の一実施形態に係る情報処理装置は、以下のような構成で使用される装置である。
【００１０】
図１は、本発明の一実施形態に係る情報処理装置の使用例を示す概念図である。図示する例では、カタログ、パンフレット及びＰＯＰ（Ｐｏｉｎｔ  ｏｆ  ｐｕｒｃｈａｓｅ  ａｄｖｅｒｔｉｓｉｎｇ）広告等のドキュメントＤＣＭは、プリンタ２等の画像形成装置によって生成される。なお、プリンタ２は、情報処理装置の例であるＰＣ（Ｐｅｒｓｏｎａｌ  Ｃｏｍｐｕｔｅｒ）１から送信される印刷データ等に基づいて、紙等に画像形成を行い、ドキュメントＤＣＭを生成する。
【００１１】
なお、ドキュメントは、例えば、ＤＭ（ダイレクトメール）、プレゼンテーション資料、会社案内、チラシ、パウチ、割引券、メッセージスクリーン、ポスター、メニューボード、プロフィールボード、名刺又はプライスカード等でもよい。
【００１２】
まず、ドキュメントＤＣＭを生成するには、ＰＣ１にあらかじめインストールされるアプリケーションソフトをユーザＵＲが操作し、ドキュメントデータを生成する。次に、ドキュメントデータがプリンタドライバ等によって印刷データに変換されて、プリンタ２がドキュメントＤＣＭを生成する。そして、ドキュメントＤＣＭには、物品等の被写体を示す画像が記載される場合がある。なお、被写体は、商品等の物体に限られず、風景又は人物等でもよい。以下、被写体が商品等の物品である例で説明する。
【００１３】
このような場合には、ユーザＵＲは、アプリケーションソフト等において、ドキュメントＤＣＭに記載する画像を指定する操作を行い、ドキュメントデータを生成する。このようにすると、ドキュメントデータに基づいて画像形成が行われ、商品等を示す画像が記載されたドキュメントＤＣＭが生成される。なお、ドキュメントがプレゼンテーション資料等である場合には、画像は、静止画像又は動画像であってもよい。さらに、ドキュメントデータは、音声等を示す音声データを有してもよい。
【００１４】
以下、上記のように、ドキュメントが、商品等を説明し、説明する商品の画像を記載するカタログである場合を例に説明する。また、以下の説明は、カタログに記載される画像は、複数ある例で説明する。
【００１５】
＜ハードウェア構成例＞
図２は、本発明の一実施形態に係る情報処理装置のハードウェア構成の一例を示すブロック図である。例えば、ＰＣ１は、図示するようなハードウェア構成である。具体的には、ＰＣ１は、ＣＰＵ（Ｃｅｎｔｒａｌ  Ｐｒｏｃｅｓｓｉｎｇ  Ｕｎｉｔ）１Ｈ１、Ｉ／Ｆ（ｉｎｔｅｒｆａｃｅ）１Ｈ２、出力装置１Ｈ３、入力装置１Ｈ４、ＨＤ（Ｈａｒｄ  Ｄｉｓｋ）１Ｈ５及び記憶装置１Ｈ６を有する。なお、各ハードウェアは、バス１Ｈ７によって接続される。すなわち、ＰＣ１は、コンピュータであり、プログラムに基づいて処理を実行することができる。
【００１６】
ＣＰＵ１Ｈ１は、処理を実現するための演算及びデータの加工を行う演算装置並びにハードウェアを制御する制御装置である。
【００１７】
Ｉ／Ｆ１Ｈ２は、ネットワーク又はケーブル等を介して、有線又は無線で、データ等を入出力するインタフェースである。例えば、Ｉ／Ｆ１Ｈ２は、コネクタ、ケーブル及びドライバ等である。
【００１８】
出力装置１Ｈ３は、ユーザに対する表示及び接続される外部装置にデータを出力するインタフェースである。例えば、出力装置１Ｈ３は、ディスプレイ等である。さらに、出力装置１Ｈ３は、ディスプレイ等を接続させるコネクタ及びドライバ等である。
【００１９】
入力装置１Ｈ４は、ユーザによる操作及び接続される外部装置からのデータを入力するインタフェースである。例えば、入力装置１Ｈ４は、キーボード、マウス又はこれらの組み合わせ等である。さらに、入力装置１Ｈ４は、キーボード等を接続させるコネクタ及びドライバ等である。
【００２０】
ＨＤ１Ｈ５は、補助記憶装置の例である。すなわち、ＨＤ１Ｈ５は、プログラム及びデータ等を記憶する。
【００２１】
記憶装置１Ｈ６は、いわゆるメモリ（ｍｅｍｏｒｙ）等の主記憶装置である。また、記憶装置１Ｈ６は、プログラム、設定値又はデータ等を記憶する。
【００２２】
なお、ハードウェア構成は、図示する構成に限られない。例えば、ハードウェア構成は、演算装置、制御装置又は記憶装置を内部又は外部に更に有する構成でもよい。また、情報処理装置は、１つの装置でなくともよい。
【００２３】
＜全体処理例＞
ＰＣは、あらかじめ入力処理を行い、入力処理後に行われるチェック処理に用いるデータを準備する。まず、入力処理を以下に説明する。
【００２４】
図３は、本発明の一実施形態に係る情報処理装置による入力処理の一例を示すフローチャートである。例えば、ＰＣは、図示するような情報処理方法を行う。なお、情報処理方法は、図示する順序及びタイミングで処理が行われるに限られない。例えば、各処理の一部又は全部は、並列、分散又は冗長して行われてもよい。
【００２５】
ステップＳ１０１では、ＰＣは、画像データを入力する。なお、入力される画像データは、ドキュメントに記載される画像、すなわち、素材となる画像を示すデータである。
【００２６】
ステップＳ１０２では、ＰＣは、画像データが示す画像に識別番号を埋め込む。例えば、識別番号は、いわゆるＤａｔａ  Ｈｉｄｉｎｇ（「電子透かし」という場合もある。）で埋め込まれる。例えば、ＰＣは、画像データをフィルタ処理して識別番号を埋め込む。具体的には、識別番号が画像に埋め込まれると、以下のようになる。
【００２７】
なお、識別番号は、いわゆるＩＤ（Ｉｄｅｎｔｉｆｉｃａｔｉｏｎ）等であり、数値、文字、記号又はこれらの組み合わせである。
【００２８】
図４は、本発明の一実施形態に係る情報処理装置による識別番号の埋め込みの一例を示す図である。以下、図４（Ａ）に示す画像が、ドキュメントに記載される画像、すなわち、入力される画像データが示す画像であり、いわゆる元画像である例で説明する。
【００２９】
図３に示すステップＳ１０２では、ＰＣは、図４（Ａ）に示す画像に、あらかじめ設定される識別番号を埋め込み、識別番号を埋め込んだ画像を生成する。このようにして、生成される画像、すなわち、識別番号が埋め込まれた画像は、例えば、図４（Ｂ）に示す画像である。図４（Ｂ）に図示するように、識別番号が表示されているのを、肉眼で認識するのは、難しい。例えば、識別番号は、画像に、微細な濃淡等で書き込まれる。このように、識別番号がＤａｔａ  Ｈｉｄｉｎｇ等によって埋め込まれると、画像の画質には、影響が少ない。
【００３０】
なお、識別番号が画像に埋め込まれる強度は、調整されてもよい。例えば、識別番号を埋め込む強度は、あらかじめ数値でＰＣに設定される。また、以下の例では、強度は、数値が高いほど、強くなり、強度が強いと、画像サイズ又は画像の圧縮率等の変更があっても、耐性が高いとする。すなわち、識別番号を画像に埋め込む強度が強くなるように調整すると、ＰＣは、画像サイズ又は画像の圧縮率等の変更に対して、耐性が高い識別番号を画像に埋め込むことができる。例えば、図４（Ｃ）に示す画像は、図４（Ｂ）に示す画像より強い強度で識別番号が埋め込まれた画像の例である。図示するように、図４（Ｂ）と同様に、図４（Ｃ）に示す画像では、識別番号が表示されているのを、肉眼で認識するのは、難しい。
【００３１】
一方で、図４（Ｂ）に示す画像のように、強度が低いと、識別番号が埋め込まれることによる画像品質の劣化が少ない。すなわち、識別番号を画像に埋め込む強度が弱くなるように調整すると、ＰＣは、識別番号が埋め込まれることによる画像品質の劣化を少なくすることができる。このように、ＰＣは、強度を調整することによって、画像品質と、画像サイズ又は画像の圧縮率等の変更に対する耐性とのバランスを取ることができる。
【００３２】
図３に戻り、ステップＳ１０３では、ＰＣは、管理データを生成する。なお、管理データは、識別番号と、画像とを対応させて管理するのに用いられるデータである。例えば、管理データは、下記（表１）のようなテーブル（以下「管理テーブル」という。）である。また、管理データは、例えば、Ｅｘｃｅｌ（登録商標）等の表計算ソフト用のデータ形式で生成される。
【００３３】
【表１】
2017168894.tif 000003
上記（表１）に示す管理テーブルにおいて、「画像名」は、例えば、画像データのファイル名等であり、画像データを特定できる文字等である。また、上記（表１）に示す管理テーブルにおいて、「識別番号」は、ステップＳ１０２で、画像に埋め込まれた識別番号である。このように、画像と、識別番号とは、対応するように、管理データによって管理される。また、上記（表１）に示す管理テーブルにおける「第１商品番号」及び「第１商品バージョン」のように、画像が示す物品のデータが含まれてもよい。すなわち、上記（表１）の例では、例えば、「画像Ａ」は、「０１２３４５６」という「商品番号」で特定される商品を写した画像であることが対応付けされる。また、この例では、「第１商品バージョン」のように、「０１２３４５６」の商品を示す画像の「バージョン」が更に対応付けされる。さらに、上記（表１）に示す管理テーブルにおいて、「画像Ｂ」及び「画像Ｃ」のように、画像が複数の商品を示す場合には、「第２商品番号」及び「第２商品バージョン」というように、複数の商品が、管理テーブルによって、画像に対応付けされてもよい。
【００３４】
さらに、管理データには、各画像がドキュメントに記載される順序、位置、座標又はドキュメントが有するテーブルのセルのうち、画像が入力されるセル等が入力されてもよい。すなわち、管理テーブルでは、各画像は、各画像が配置される場所、各画像が使用される順序又は各画像が対応する商品等が対応付けされてもよい。
【００３５】
なお、管理データは、上記（表１）の形式に限られない。例えば、管理データには、他に商品に関するデータが入力されてもよい。
【００３６】
また、管理データには、使用を終了した等の理由で、使用が禁止された画像を示す識別番号（以下「廃番」という。）が入力されてもよい。例えば、廃番は、下記（表２）のようなテーブル（以下「廃番テーブル」という。）で入力される。なお、廃番とされる画像は、使用の終了以外の理由で、使用が禁止された画像でもよい。
【００３７】
【表２】
2017168894.tif 000004
上記（表２）に示す廃番テーブルにおいて、「識別番号」は、上記（表１）における「識別番号」と対応する番号である。また、上記（表２）に示す廃番テーブルにおいて、「商品番号」は、上記（表１）における「第１商品番号」及び「第２商品番号」と対応する番号である。そして、「廃番であるか」は、「○」又は「×」で管理データによって管理されている画像のうち、使用が終了した画像であるか否かを示すデータである。上記（表２）に示す例では、「○」は、廃番であることを示し、廃番とされる画像は、使用が終了した画像である。一方で、上記（表２）に示す例では、「×」は、廃番でないことを示し、廃番でないとされる画像は、使用中又は使用が予定されている画像である。例えば、「廃番であるか」は、あらかじめ設定される。なお、廃番に係るデータは、上記（表２）の形式に限られない。
【００３８】
そして、以上のような入力処理が行われた画像を用いて、ユーザＵＲ（図１）は、ドキュメントデータを生成する操作を行う。例えば、ユーザＵＲは、ドキュメントに記載する画像を上記（表１）に示す画像から選んだり、配置したりする操作をＰＣに入力する。次に、ドキュメントデータが生成されると、ＰＣは、例えば、以下のようなチェック処理を行う。なお、チェック処理は、入力処理が行われた後、すなわち、管理データ等が生成された後に行われる。
【００３９】
図５は、本発明の一実施形態に係る情報処理装置によるチェック処理の一例を示すフローチャートである。
【００４０】
ステップＳ２０１では、ＰＣは、ユーザＵＲ（図１）の操作によって生成されたドキュメントデータを入力する。なお、ドキュメントデータには、図３に示す入力処理であらかじめ入力された画像データが選択され、各画像には、それぞれの識別番号が埋め込まれてあるとする。例えば、ドキュメントデータは、ユーザＵＲの操作によって生成されたファイル又はドキュメントデータに基づいて生成されたドキュメントＤＣＭ（図１）をスキャンして入力される。
【００４１】
ステップＳ２０２では、ＰＣは、識別番号を検出する。すなわち、ＰＣは、ドキュメントデータが示す画像を解析して、埋め込まれている識別番号を示す文字等を検出する。そして、ＰＣは、検出した識別番号を示すデータ（以下「検出データ」という。）を生成する。
【００４２】
ステップＳ２０３では、ＰＣは、管理データと、検出データとを比較して、画像をチェックする。例えば、ＰＣは、以下のように、チェックを行う。
【００４３】
図６は、本発明の一実施形態に係る情報処理装置によるチェックの一例を示す図である。以下、図示するようなドキュメントデータＤＤがステップＳ２０１（図５）で入力される例で説明する。図示する例では、ドキュメントデータＤＤが示すカタログは、「商品Ａ」乃至「商品Ｍ」までの物品を示す画像及び文字が記載される例を示す。具体的には、カタログには、「商品Ａ」を示す第１文字Ｃｈａ１と、「商品Ｂ」を示す第１画像Ｉｍｇ１とが記載されるとする。同様に、カタログには、「商品Ｂ」を示す第２文字Ｃｈａ２と、第２画像Ｉｍｇ２とが記載されるとする。さらに、カタログには、「商品Ｃ」を示す第３文字Ｃｈａ３と、第３画像Ｉｍｇ３とが記載されるとする。さらにまた、カタログには、「商品Ｄ」を示す第４文字Ｃｈａ４と、第４画像Ｉｍｇ４とが記載されるとする。他にも、カタログには、「商品Ｅ」等を示す画像及び文字が記載されるとする。以下、「商品Ａ」乃至「商品Ｄ」に係る画像を例に説明する。
【００４４】
例えば、図５に示すステップＳ２０２では、ＰＣは、例えば、図示する点（以下「原点Ｐ０」という。）から検出方向ＤＲ（図では、右方向である。）に向かって、記載されている画像をそれぞれ特定し、各画像に埋め込まれている識別番号を検出する。このようにして、ＰＣは、検出した識別番号を順に記憶することで、ドキュメントに記載される画像の順序を特定する。また、ＰＣは、各画像を特定する場所から画像が記載されている位置、座標又は画像が入力されているセル等を特定してもよい。
【００４５】
具体的には、図示するドキュメントデータＤＤの例では、ＰＣは、第１画像Ｉｍｇ１、第２画像Ｉｍｇ２、第３画像Ｉｍｇ３及び第４画像Ｉｍｇ４の順序で画像が使用されていると検出する。また、位置を検出する場合には、ＰＣは、例えば、各画像の左上の点が、原点Ｐ０を「０，０」であるとした場合の座標系において、どの座標に各画像があるかを検出する。また、画像がテーブル内に配置されている場合には、ＰＣは、画像が入力されるセル番号（テーブルの行及び列を示す値等である。）等を検出してもよい。なお、順序は、検出される座標又はセル番号等に基づいて、検出されてもよい。
【００４６】
次に、ＰＣは、管理データが示す画像の順序、位置、座標又は画像が入力されるセルと、検出データが示す画像の順序、位置、座標又は画像が入力されるセルとを比較するチェックを行う。すなわち、ＰＣは、管理データが示す順序等と、検出データが示す順序等とが一致するか否かをチェックする（図５に示すステップＳ２０３）。
【００４７】
他にも、ＰＣは、画像の近くに記載される文字と、管理データが示す「商品番号」等とを比較してもよい。なお、文字は、例えばテキスト検索等によって比較される。例えば、第１画像Ｉｍｇ１の場合には、ＰＣは、最も近くに記載される第１文字Ｃｈａ１を検出する。また、文字は、テーブルにおいて、同列にあるか等に基づいて検出されてもよい。そして、ＰＣは、第１文字Ｃｈａ１が示す「商品番号」が、管理データが示す「商品番号」と一致するか否かをチェックする。
【００４８】
このようにすると、ＰＣは、カタログ等において、各画像が正しい順序、位置、セル又は座標で配置されているか否かをチェックすることができる。また、ＰＣは、各画像がどの「商品番号」等と対応付けされて配置されているかをチェックすることができる。
【００４９】
また、ＰＣは、廃番となっている画像がないかをチェックしてもよい。すなわち、ＰＣは、検出データが示す識別番号が、上記（表２）にあるか否かをチェックする。
【００５０】
図５に戻り、ステップＳ２０４では、ＰＣは、順序等が一致するか否か判断する。すなわち、ステップＳ２０４では、ＰＣは、ステップＳ２０３によるチェック結果に基づいて、管理データが示す順序等と、検出データが示す順序等とが一致するか否かを判断する。次に、順序等が一致するとＰＣが判断すると（ステップＳ２０４でＹＥＳ）、ＰＣは、ステップＳ２０５に進む。なお、この場合には、ＰＣは、「不一致箇所がない。」等のメッセージをユーザに対して表示してもよい。一方で、順序等が一致しない、すなわち、不一致であるとＰＣが判断すると（ステップＳ２０４でＮＯ）、ＰＣは、ステップＳ２０６に進む。
【００５１】
ステップＳ２０５では、ＰＣは、廃番となっている画像があるか否か判断する。すなわち、ステップＳ２０５では、ＰＣは、ステップＳ２０３によるチェック結果に基づいて、管理データが示す廃番と、検出データが示す識別番号とが一致するか否かを判断する。次に、廃番と識別番号とが一致する画像がないとＰＣが判断すると（ステップＳ２０５でＹＥＳ）、ＰＣは、チェック処理を終了する。なお、この場合には、ＰＣは、「廃番の画像はない。」等のメッセージをユーザに対して表示してもよい。一方で、廃番と識別番号とが一致する画像があるとＰＣが判断すると（ステップＳ２０５でＮＯ）、ＰＣは、ステップＳ２０６に進む。
【００５２】
ステップＳ２０６では、ＰＣは、不一致又は廃番となっている画像がある箇所を表示する。例えば、ＰＣは、以下のような画面を表示して、不一致となる箇所をユーザに表示する。
【００５３】
図７は、本発明の一実施形態に係る情報処理装置による不一致箇所の表示例を示す図である。図示する例では、ＰＣは、図５に示すステップＳ２０３によるチェックによって、管理データが示す順序等と、検出データが示す順序等とが異なる画像を枠で強調して示す。
【００５４】
例えば、管理データにおいて、「商品Ｇ」を示す画像と対応付けされる識別番号と、「商品Ｇ」を示す文字の近くに配置された画像から検出された識別番号とが一致しない場合には、図示するように、ＰＣは、第１枠ＣＡＳ１を表示する。このように、第１枠ＣＡＳ１が表示されると、ユーザは、「商品Ｇ」を示す画像が不一致箇所であると特定しやすい。
【００５５】
また、廃番となっている識別番号の画像が含まれている場合には、ＰＣは、廃番となっている画像を枠で強調して示す。
【００５６】
例えば、管理データにおいて、廃番とされる画像（上記（表２）において「○」とされる画像である。）と対応付けされる識別番号に、第３画像Ｉｍｇ３から検出された識別番号が該当する場合には、図示するように、ＰＣは、第２枠ＣＡＳ２を表示する。このように、第２枠ＣＡＳ２が表示されると、ユーザは、廃番となっている画像を特定しやすい。
【００５７】
なお、強調方法は、枠を表示する方法に限られない。例えば、強調方法は、対象となる画像を色分け、抽出、点滅、対象となる画像の枚数若しくは画像を特定できるページ数等の情報を表示又はリスト化してもよい。
【００５８】
＜機能構成例＞
図８は、本発明の一実施形態に係る情報処理装置の機能構成の一例を示す機能ブロック図である。図示するように、ＰＣ１は、生成部１Ｆ１及びチェック部１Ｆ２を備える。
【００５９】
まず、ＰＣ１は、図３に示す入力処理等によって入力される画像データＤＩｍｇを入力する。さらに、ＰＣ１は、図３に示す入力処理等によって生成される管理データＤＣを記憶する。また、画像データＤＩｍｇが示す画像には、管理データＤＣが管理する識別番号が埋め込まれる。
【００６０】
生成部１Ｆ１は、ドキュメントに記載される画像を識別する識別番号を画像に埋め込む。そして、生成部１Ｆ１は、画像等を配置してドキュメントデータＤＤを生成する。なお、ドキュメントに記載される画像は、画像データＤＩｍｇが示す画像から、ユーザＵＲによる操作によって選ばれる。また、生成部１Ｆ１は、例えば、ＣＰＵ１Ｈ１（図２）及び入力装置１Ｈ４（図２）等によって実現される。
【００６１】
チェック部１Ｆ２は、管理データと、ドキュメントデータＤＤから検出される識別番号を示す検出データとを比較して画像をチェックする。そして、チェック部１Ｆ２は、例えば、図７に示すような画面等でチェック結果をユーザＵＲに示してもよい。なお、チェック部１Ｆ２は、例えば、ＣＰＵ１Ｈ１等によって実現される。
【００６２】
まず、ＰＣ１は、入力処理により、ドキュメントを作成するのに用いられる画像を画像データＤＩｍｇによって入力する。このようにすると、ＰＣ１は、生成部１Ｆ１によって、画像に識別番号を埋め込むことができる。また、ＰＣ１は、例えば、上記（表１）に示すような管理データＤＣ等で、埋め込まれた識別番号と、画像とを対応付けして管理することができる。また、上記（表２）のように、廃番が入力されると、ＰＣは、廃番、すなわち、使用が禁止された画像を特定することができる。さらに、管理データＤＣに、ドキュメントにおいて、記載される順序、位置、座標、画像が入力されるセル又は画像に対応する物品等に係るデータが入力されると、ＰＣは、チェック部１Ｆ２によって、管理データＤＣに基づいて、画像をチェックすることができる。
【００６３】
例えば、ＰＣは、チェック部１Ｆ２によって、画像が記載される順序をチェックすることができる。特に、図６に示すように、似たような画像を複数扱うドキュメント等では、例えば、画像が記載される順序が逆、すなわち、画像がユーザの意図する順序とは異なるように配置されていても、肉眼によるチェックでは、見落とす可能性がある。これは、似たような画像が並んでいれば、肉眼によるチェックでは、画像がユーザの意図する順序に並んでいるように見える場合があるためである。このような場合があると、商品名等の近くに、対応しない商品の画像を記載するドキュメントが生成される場合がある。特に、多くのドキュメント又は画像等をチェックする場合には、見落としのミスが発生する場合が多い。このようにして、品質の悪いドキュメントを生成してしまうと、ドキュメントを修正し、再印刷するコストが発生したり、誤った記載をしたことによって信用問題となってしまったりする。
【００６４】
これに対して、本発明の実施形態に係るＰＣは、識別番号に基づいて、画像の順序等をチェックできるため、似たような画像が並ぶような場合等であっても、順序等が誤っていること等をチェックによって発見することができる。また、ＰＣは、人手によるチェックを少なくし、チェック作業等を効率化することができる。このようにして、ＰＣは、ドキュメントの品質を良くできる。
【００６５】
位置、座標及びセル等の場所に基づいて、ＰＣがチェックする場合も順序と同様である。すなわち、画像が配置される場所に、対応する画像とは異なる画像が記載されるようになっている場合等は、ユーザの操作ミス等によって、商品名等に対応しない画像、例えば、対応する画像と類似する画像等が誤って配置される操作が行われた場合等である。この場合でも、似たような画像が配置されると、肉眼によるチェックでは、画像がユーザの意図する順序に並んでいるように見える場合があるため、誤った配置であることが発見できない場合がある。このような場合であっても、本発明の実施形態に係るＰＣは、識別番号に基づいて、画像が配置される位置、座標及びセル等の場所等をチェックできるため、似たような画像が並んでいる場合等であっても、画像が配置される場所等が誤っていること等をチェックによって発見することができる。このようにして、ＰＣは、ドキュメントの品質を良くできる。
【００６６】
さらに、ＰＣは、ドキュメントに記載される画像が廃番となっている画像でないかをチェックすることができる。特に、廃番となっている画像が、新しくドキュメントに記載される画像と似ている場合がある。具体的には、例えば、誤って、ユーザが廃番となっている画像を選択し、ドキュメントデータが生成されたとする。この場合では、肉眼によるチェックでは、似たような画像が配置されているため、ユーザが意図する画像が正しく配置されているように見え、廃番となっている画像が配置されているのが見落とされる可能性がある。
【００６７】
これに対して、本発明の実施形態に係るＰＣは、識別番号に基づいて、画像が廃番となっているか否か等をチェックできるため、似たような画像が並んでいる場合等であっても、廃番となっている画像が配置されているのをチェックによって発見することができる。このようにして、ＰＣは、ドキュメントの品質を良くできる。
【００６８】
なお、入力処理によって入力される画像の一部を示す画像又は入力処理によって入力される画像が加工された画像が、ドキュメントに用いられる場合がある。例えば、入力される画像の一部が切り出されて、別の画像（以下「加工画像」という。）が生成される場合がある。このような場合では、加工画像には、例えば、加工の元となる画像に埋め込まれる識別番号と、同一の識別番号が埋め込まれる。
【００６９】
ドキュメントには、入力される画像がそのまま使われず、入力される画像を加工した加工画像が使用される場合がある。このような場合であっても、加工画像は、加工前の画像に埋め込まれる識別番号を引き継ぐ。このようにすると、ＰＣは、加工画像であっても、画像の順序等をチェックすることができる。また、ＰＣは、廃番となっている画像が加工画像となってドキュメントに記載されないかをチェックすることができる。
【００７０】
例えば、ファイル名等でチェックを行う方法が考えられるが、このように、加工画像が用いられる場合では、加工の元となる画像と、加工画像とは、異なるファイル名である場合が多いため、チェックするのが難しい場合がある。一方で、識別番号を用いると、ＰＣは、ファイル名が異なる加工画像であっても、チェックすることができる。
【００７１】
なお、埋め込まれる識別番号は、加工の元となる画像が特定できるデータであればよい。また、加工は、例えば、画像の一部を変更、画像をコピー、サイズ等を変更、形状を変更、解像度等を変更又は他の画像と組み合わせる等の処理である。
【００７２】
他にも、識別番号は、著作権等を管理するのに用いられてもよい。
【００７３】
また、上記の例は、処理の理解を容易にするために、主な機能に応じて分割して示す構成である。そのため、処理単位の分割の仕方又は名称によって本発明に係る実施形態は、限定されない。例えば、各処理は、処理内容に応じて更に多くの処理単位に分割してもよい。また、１つの処理単位は、更に多くの処理を含むように分割されてもよい。
【００７４】
他にも、ＰＣ等の情報処理装置は、１つの装置である構成に限られない。すなわち、２以上の情報処理装置を有する情報処理システムによって、本発明に係る実施形態は、実現されてもよい。なお、情報処理装置又は情報処理システムでは、各処理の一部又は全部が分散、冗長、並列又はこれらを組み合わせるように、処理が行われてもよい。
【００７５】
なお、本発明に係る各処理の全部又は一部は、プログラミング言語等で記述されたコンピュータに情報処理方法を実行させるためのプログラムによって実現されてもよい。すなわち、プログラムは、情報処理装置等のコンピュータに情報処理方法を実行させるためのコンピュータプログラムである。
【００７６】
また、プログラムは、フラッシュメモリ、フレキシブルディスク、光学ディスク、ＳＤ（登録商標）カード又はＭＯ等のコンピュータが読み取り可能な記録媒体に格納して頒布することができる。さらにまた、プログラムは、電気通信回線を通じて頒布することができる。
【符号の説明】
【００７７】
１  ＰＣ
ＤＩｍｇ  画像データ
ＤＣ  管理データ
１Ｆ１  生成部
１Ｆ２  チェック部
ＤＤ  ドキュメントデータ
【先行技術文献】
【特許文献】
【００７８】
【特許文献１】特許第４３０７１２４号公報
【図１】
2017168894.tif 000005
【図２】
2017168894.tif 000006
【図３】
2017168894.tif 000007
【図４】
2017168894.tif 000008
【図５】
2017168894.tif 000009
【図６】
2017168894.tif 000010
【図７】
2017168894.tif 000011
【図８】
2017168894.tif 000012